【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）のために構成された複数のチャネル状態情報基準信号（ＣＳＩ−ＲＳ）構成を示す第１のシグナリングを受信することと、
前記ＵＥのための少なくとも１つのアクティブなＣＳＩ−ＲＳ構成を示す第２のシグナリングを受信することと、ここにおいて、少なくとも前記複数のＣＳＩ−ＲＳ構成のサブセットは、前記第２のシグナリングによって示されるようにアクティブである、
前記ＵＥが、前記第２のシグナリングによって示される前記少なくとも１つのアクティブなＣＳＩ−ＲＳ構成に部分的に基づいて、１つまたは複数のサブフレームのためのディレートマッチングを実行することと、
を備える、ワイヤレス通信のための方法。
【請求項２】
第１のシグナリングを前記受信することは、前記ＵＥのために構成された前記複数のＣＳＩ−ＲＳ構成を示す上位レイヤシグナリングを受信することを備え、第２のシグナリングを前記受信することは、前記ＵＥのための前記少なくとも１つのアクティブなＣＳＩ−ＲＳ構成を示す下位レイヤシグナリングを受信することを備える、請求項１に記載の方法、
または、第１のシグナリングを前記受信することは、前記ＵＥのために構成された前記複数のＣＳＩ−ＲＳ構成を示す無線リソース制御（ＲＲＣ）シグナリングを受信することを備え、第２のシグナリングを前記受信することは、前記ＵＥのための前記少なくとも１つのアクティブなＣＳＩ−ＲＳ構成を示す媒体アクセス制御（ＭＡＣ）を介して、または物理チャネル上で制御情報を受信することを備える、請求項１に記載の方法、または
前記複数のＣＳＩ−ＲＳ構成は、前記ＵＥのために静的または半静的に構成され、前記少なくとも１つのアクティブなＣＳＩ−ＲＳ構成は、動的に前記ＵＥへシグナリングされる、請求項１に記載の方法、
または、前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、前記第２のシグナリングを前記受信することは、ＣＳＩ−ＲＳ構成の前記第２のサブセットにおける前記少なくとも１つのアクティブなＣＳＩ−ＲＳ構成を示す前記第２のシグナリングを受信することを備える、請求項１に記載の方法、
または、前記複数のＣＳＩ−ＲＳ構成は、第１の通信タスクのためにアクティブであり、第２の通信タスクのために非アクティブである、ＣＳＩ−ＲＳ構成を備える、請求項１に記載の方法、
または、前記複数のＣＳＩ−ＲＳ構成は、第１の通信タスクのためにアクティブにされるまたは非アクティブにされることができ、第２の通信タスクのために常にアクティブである、ＣＳＩ−ＲＳ構成を備える、請求項１に記載の方法、
または、前記複数のＣＳＩ−ＲＳ構成は、第１の通信タスクのためにアクティブにされるまたは非アクティブにされることができる第１のＣＳＩ−ＲＳ構成と、第２の通信タスクのために常にアクティブな第２のＣＳＩ−ＲＳ構成とを備える、請求項１に記載の方法、
または、前記複数のＣＳＩ−ＲＳ構成は、第１のセルのためのＣＳＩ−ＲＳ構成の第１のセットと第２のセルのためのＣＳＩ−ＲＳ構成の第２のセットを備え、前記ＵＥのための前記少なくとも１つのアクティブなＣＳＩ−ＲＳ構成は、ＣＳＩ−ＲＳ構成の前記第１または第２のセットの何れかを備える、請求項１に記載の方法。
【請求項３】
前記複数のＣＳＩ−ＲＳ構成は、ＣＳＩ−ＲＳ構成の少なくとも２つのセットを備え、ＣＳＩ−ＲＳ構成の各セットは、前記ＵＥによって１つまたは複数の通信タスクと関連付けられる、
または、特に、前記第２のシグナリングは、ＣＳＩ−ＲＳ構成の前記少なくとも２つのセットのための少なくとも２ビットを有するビットマップを備え、前記ビットマップの各ビットは、ＣＳＩ−ＲＳ構成の関連付けられたセットが前記ＵＥのためにアクティブであるかを示す、
または、特に、ＣＳＩ−ＲＳ構成の少なくとも１つのグループは、ＣＳＩ−ＲＳ構成の前記少なくとも２つのセットに基づいて形成され、ＣＳＩ−ＲＳ構成の各グループは、ＣＳＩ−ＲＳ構成の少なくとも１つのセットを含み、前記第２のシグナリングは、ＣＳＩ−ＲＳ構成の前記少なくとも１つのグループのための少なくとも１ビットを有するビットマップを備え、前記ビットマップの各ビットは、ＣＳＩ−ＲＳ構成の関連付けられたグループが前記ＵＥのためにアクティブであるかを示す、
請求項１に記載の方法。
【請求項４】
第２のシグナリングを前記受信することは、ブロードキャストチャネルを介してセルにおけるすべてのＵＥへ送られた、または、マルチキャストチャネルを介して前記ＵＥを含むＵＥのグループへ送られた、前記第２のシグナリングを受信することを備える、請求項１に記載の方法、
または、前記ＵＥのための前記少なくとも１つのアクティブなＣＳＩ−ＲＳ構成に基づいて、ＣＳＩフィードバックを決定することをさらに備える、請求項１に記載の方法、
または、前記ＵＥのための前記少なくとも１つのアクティブなＣＳＩ−ＲＳ構成に基づいて少なくとも１つの物理チャネルのためのディレートマッチングを実行することをさらに備える、請求項１に記載の方法、
または、
前記ＵＥのための前記少なくとも１つのアクティブなＣＳＩ−ＲＳ構成に基づいて第１の物理チャネルのためのディレートマッチングを実行することと、
前記ＵＥのために構成された前記複数のＣＳＩ−ＲＳ構成に基づいて第２の物理チャネルのためのディレートマッチングを実行することと、
をさらに備える、請求項１に記載の方法、
または、前記ＵＥのための前記少なくとも１つのアクティブなＣＳＩ−ＲＳ構成に基づいて干渉を推定することをさらに備える、請求項１に記載の方法、
または、前記ＵＥのための前記少なくとも１つのアクティブなＣＳＩ−ＲＳ構成に基づいて前記ＵＥにサービス提供するために選択可能なセルのセットを維持することをさらに備える、請求項１に記載の方法、
または、
前記複数のＣＳＩ−ＲＳ構成のＣＳＩ−ＲＳタイプを決定することをさらに備え、
第１のＣＳＩ−ＲＳタイプのＣＳＩ−ＲＳ構成を考慮し、第２のＣＳＩ−ＲＳタイプのＣＳＩ−ＲＳ構成を考慮しないことによってディレートマッチングを実行することをさらに備える、
請求項１に記載の方法、
または、
少なくとも１つの近隣セルのための少なくとも１つのＣＳＩ−ＲＳ構成を示すシグナリングを受信することと、
前記少なくとも１つの近隣セルのための前記少なくとも１つのＣＳＩ−ＲＳ構成に基づいて前記少なくとも１つの近隣セルからＣＳＩ−ＲＳのための干渉消去を実行することと、
をさらに備える、請求項１に記載の方法。
【請求項５】
ユーザ機器（ＵＥ）のために構成された複数のチャネル状態情報基準信号（ＣＳＩ−ＲＳ）構成を示す第１のシグナリングを受信するための手段と、
前記ＵＥのための少なくとも１つのアクティブなＣＳＩ−ＲＳ構成を示す第２のシグナリングを受信するための手段と、ここにおいて、少なくとも前記複数のＣＳＩ−ＲＳ構成のサブセットは、前記第２のシグナリングによって示されるようにアクティブである、
前記ＵＥのための前記少なくとも１つのアクティブなＣＳＩ−ＲＳ構成に基づいて前記ＵＥによって少なくとも１つの通信タスクを実行するための手段と、
を備える、ワイヤレス通信のための装置であって、
前記装置は、前記ＵＥが、前記第２のシグナリングによって示される前記少なくとも１つのアクティブなＣＳＩ−ＲＳ構成に部分的に基づいて、１つまたは複数のサブフレームのためのディレートマッチングを実行することに適応している、装置。
【請求項６】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、前記第２のシグナリングを受信するための前記手段は、ＣＳＩ−ＲＳ構成の前記第２のサブセットにおける少なくとも１つのアクティブなＣＳＩ−ＲＳ構成を示す前記第２のシグナリングを受信するための手段を備える、請求項５に記載の装置。
【請求項７】
前記ＵＥのための前記少なくとも１つのアクティブなＣＳＩ−ＲＳ構成に基づいて、ＣＳＩフィードバックを決定するための手段、
または、前記ＵＥのための前記少なくとも１つのアクティブなＣＳＩ−ＲＳ構成に基づいて少なくとも１つの物理チャネルのためのディレートマッチングを実行するための手段
をさらに備える、請求項５に記載の装置。
【請求項８】
複数のチャネル状態情報基準信号（ＣＳＩ−ＲＳ）構成を有するユーザ機器（ＵＥ）を構成するための第１のシグナリングを送ることと、
前記ＵＥのための少なくとも１つのアクティブなＣＳＩ−ＲＳ構成を示すための第２のシグナリングを送ることと、前記少なくとも１つのアクティブなＣＳＩ−ＲＳ構成は、前記複数のＣＳＩ−ＲＳ構成のすべてまたはサブセットを含む、ここにおいて、前記ＵＥは、前記第２のシグナリングによって示される前記少なくとも１つのアクティブなＣＳＩ−ＲＳ構成に部分的に基づいて、１つまたは複数の第１のサブフレームのためのディレートマッチングを実行する
を備える、ワイヤレス通信のための方法。
【請求項９】
第１のシグナリングを前記送ることは、前記複数のＣＳＩ−ＲＳ構成を有する前記ＵＥを構成するために上位レイヤシグナリングを送ることを備え、ここにおいて、第２のシグナリングを前記送ることは、前記ＵＥのための前記少なくとも１つのアクティブなＣＳＩ−ＲＳ構成を示すために下位レイヤシグナリングを送ることを備える、請求項８に記載の方法、
または、第１のシグナリングを前記送ることは、前記複数のＣＳＩ−ＲＳ構成を有する前記ＵＥを構成するために無線リソース制御（ＲＲＣ）シグナリングを送ることを備え、ここにおいて、第２のシグナリングを前記送ることは、前記ＵＥのための前記少なくとも１つのアクティブなＣＳＩ−ＲＳ構成を示すために媒体アクセス制御（ＭＡＣ）を介して、または物理チャネル上で制御情報を送ることを備える、請求項８に記載の方法、
または、前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、前記第２のシグナリングを前記送ることは、ＣＳＩ−ＲＳ構成の前記第２のサブセットにおける少なくとも１つのアクティブなＣＳＩ−ＲＳ構成を示す前記第２のシグナリングを送ることを備える、請求項８に記載の方法、
または、前記複数のＣＳＩ−ＲＳ構成は、第１の通信タスクのためにアクティブであり、第２の通信タスクのために非アクティブであるＣＳＩ−ＲＳ構成を備える、請求項８に記載の方法、
または、前記複数のＣＳＩ−ＲＳ構成は、第１の通信タスクのためにアクティブにされるまたは非アクティブにされることができ、第２の通信タスクのために常にアクティブであるＣＳＩ−ＲＳ構成を備える、請求項８に記載の方法、
または、前記複数のＣＳＩ−ＲＳ構成は、第１の通信タスクのためにアクティブにされるまたは非アクティブにされることができる第１のＣＳＩ−ＲＳ構成と、第２の通信タスクのために常にアクティブな第２のＣＳＩ−ＲＳ構成を備える、請求項８に記載の方法、
または、前記複数のＣＳＩ−ＲＳ構成は、第１のセルのためのＣＳＩ−ＲＳ構成の第１のセットと第２のセルのためのＣＳＩ−ＲＳ構成の第２のセットを備え、前記ＵＥのための前記少なくとも１つのアクティブなＣＳＩ−ＲＳ構成は、ＣＳＩ−ＲＳ構成の前記第１または第２のセットの何れかを備える、請求項８に記載の方法。
【請求項１０】
前記複数のＣＳＩ−ＲＳ構成は、ＣＳＩ−ＲＳ構成の少なくとも２つのセットを備え、ＣＳＩ−ＲＳ構成の各セットは、１つまたは複数の通信タスクと関連付けられる、
特に、前記第２のシグナリングは、ＣＳＩ−ＲＳ構成の前記少なくとも２つのセットのための少なくとも２ビットを有するビットマップを備え、前記ビットマップの各ビットは、ＣＳＩ−ＲＳ構成の関連付けられたセットが前記ＵＥのためにアクティブであるかを示す、
特に、ＣＳＩ−ＲＳ構成の少なくとも１つのグループは、ＣＳＩ−ＲＳ構成の前記少なくとも２つのセットに基づいて形成され、ＣＳＩ−ＲＳ構成の各グループは、ＣＳＩ−ＲＳ構成の少なくとも１つのセットを含み、前記第２のシグナリングは、ＣＳＩ−ＲＳ構成の前記少なくとも１つのグループのための少なくとも１ビットを有するビットマップを備え、前記ビットマップの各ビットは、ＣＳＩ−ＲＳ構成の関連付けられたグループが前記ＵＥのためにアクティブであるかを示す、請求項８に記載の方法。
【請求項１１】
第２のシグナリングを前記送ることは、ブロードキャストチャネルを介してセルにおけるすべてのＵＥへ、または、マルチキャストチャネルを介して前記ＵＥを含むＵＥのグループへ、前記第２のシグナリングを送ることを備える、請求項８に記載の方法、
または、少なくとも１つの近隣セルのための少なくとも１つのＣＳＩ−ＲＳ構成を示すシグナリングを送ることをさらに備える、請求項８に記載の方法、
または、前記ＵＥのための前記少なくとも１つのアクティブなＣＳＩ−ＲＳ構成に基づいて、前記ＵＥによって決定されたＣＳＩフィードバックを受信することをさらに備える、請求項８に記載の方法、
または、前記ＵＥのための前記少なくとも１つのアクティブなＣＳＩ−ＲＳ構成に基づいて少なくとも１つの物理チャネルのためのレートマッチングを実行することをさらに備える、請求項８に記載の方法、
または、
前記ＵＥのための前記少なくとも１つのアクティブなＣＳＩ−ＲＳ構成に基づいて第１の物理チャネルのためのレートマッチングを実行することと、
前記ＵＥのために構成された前記複数のＣＳＩ−ＲＳ構成に基づいて第２の物理チャネルのためのレートマッチングを実行することと、
をさらに備える、請求項８に記載の方法、
または、
前記複数のＣＳＩ−ＲＳ構成のＣＳＩ−ＲＳタイプを決定することと、
第１のＣＳＩ−ＲＳタイプのＣＳＩ−ＲＳ構成を考慮し、第２のＣＳＩ−ＲＳタイプのＣＳＩ−ＲＳ構成を考慮しないことによってレートマッチングを実行することと
をさらに備える、請求項８に記載の方法。
【請求項１２】
複数のチャネル状態情報基準信号（ＣＳＩ−ＲＳ）構成を有するユーザ機器（ＵＥ）を構成するための第１のシグナリングを送るための手段と、
前記ＵＥのための少なくとも１つのアクティブなＣＳＩ−ＲＳ構成を示すための第２のシグナリングを送るための手段と、前記少なくとも１つのアクティブなＣＳＩ−ＲＳ構成は、前記複数のＣＳＩ−ＲＳ構成のすべてまたはサブセットを含む、
ここにおいて、前記ＵＥが、前記第２のシグナリングによって示される前記少なくとも１つのアクティブなＣＳＩ−ＲＳ構成に部分的に基づいて、１つまたは複数のサブフレームのためのディレートマッチングを実行する
を備える、ワイヤレス通信のための装置。
【請求項１３】
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、前記第２のシグナリングを送るための前記手段は、ＣＳＩ−ＲＳ構成の前記第２のサブセットにおける少なくとも１つのアクティブなＣＳＩ−ＲＳ構成を示す前記第２のシグナリングを送るための手段を備える、請求項１２に記載の装置。
【請求項１４】
前記ＵＥのための前記少なくとも１つのアクティブなＣＳＩ−ＲＳ構成に基づいて、前記ＵＥによって決定されたＣＳＩフィードバックを受信するための手段、
または、前記ＵＥのための前記少なくとも１つのアクティブなＣＳＩ−ＲＳ構成に基づいて少なくとも１つの物理チャネルのためのレートマッチングを実行するための手段
をさらに備える、請求項１２に記載の装置。
【請求項１５】
コンピュータ上で実行されると、請求項１−４または８−１１のうちの何れか一項に記載のステップを実行するための命令を備える、コンピュータプログラム。
【手続補正２】
【補正対象書類名】明細書
【補正対象項目名】００９７
【補正方法】変更
【補正の内容】
【００９７】
[00102]  本開示の上述記載は、当業者が本開示を実施または使用することを可能にするために提供される。本開示に対するさまざまな変更は、当業者に容易に理解され、ここで定義された一般的な原理は、本開示の意図または範囲から逸脱せずに、他の変形例に適用されることができる。よって、本開示は、ここで説明される例および設計に限定されるように意図されたものではなく、ここで開示された原理および新規の特徴と矛盾しない最大範囲であると認められるべきである。
以下に本願発明の当初の特許請求の範囲に記載された発明を付記する。
［Ｃ１］
ユーザ機器（ＵＥ）のために構成された複数のチャネル状態情報基準信号（ＣＳＩ−ＲＳ）構成を示す第１のシグナリングを受信することと、
前記ＵＥのための少なくとも１つのアクティブなＣＳＩ−ＲＳ構成を示す第２のシグナリングを受信することと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを実行することと、
を備える、ワイヤレス通信のための方法。
［Ｃ２］
第１のシグナリングを前記受信することは、前記ＵＥのために構成された前記複数のＣＳＩ−ＲＳ構成を示す上位レイヤシグナリングを受信することを備え、ここにおいて、第２のシグナリングを前記受信することは、前記ＵＥのための前記少なくとも１つのアクティブなＣＳＩ−ＲＳ構成を示す下位レイヤシグナリングを受信することを備える、Ｃ１に記載の方法。
［Ｃ３］
第１のシグナリングを前記受信することは、前記ＵＥのために構成された前記複数のＣＳＩ−ＲＳ構成を示す無線リソース制御（ＲＲＣ）シグナリングを受信することを備え、ここにおいて、第２のシグナリングを前記受信することは、前記ＵＥのための前記少なくとも１つのアクティブなＣＳＩ−ＲＳ構成を示す媒体アクセス制御（ＭＡＣ）を介して、または物理チャネル上で制御情報を受信することを備える、Ｃ１に記載の方法。
［Ｃ４］
前記複数のＣＳＩ−ＲＳ構成は、前記ＵＥのために静的または半静的に構成され、ここにおいて、前記少なくとも１つのアクティブなＣＳＩ−ＲＳ構成は、動的に前記ＵＥへシグナリングされる、Ｃ１に記載の方法。
［Ｃ５］
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを前記受信することは、ＣＳＩ−ＲＳ構成の前記第２のサブセットにおける前記少なくとも１つのアクティブなＣＳＩ−ＲＳ構成を示す前記第２のシグナリングを受信することを備える、Ｃ１に記載の方法。
［Ｃ６］
前記複数のＣＳＩ−ＲＳ構成は、第１の通信タスクのためにアクティブであり、第２の通信タスクのために非アクティブである、ＣＳＩ−ＲＳ構成を備える、Ｃ１に記載の方法。
［Ｃ７］
前記複数のＣＳＩ−ＲＳ構成は、第１の通信タスクのためにアクティブにされるまたは非アクティブにされることができ、第２の通信タスクのために常にアクティブである、ＣＳＩ−ＲＳ構成を備える、Ｃ１に記載の方法。
［Ｃ８］
前記複数のＣＳＩ−ＲＳ構成は、第１の通信タスクのためにアクティブにされるまたは非アクティブにされることができる第１のＣＳＩ−ＲＳ構成と、第２の通信タスクのために常にアクティブな第２のＣＳＩ−ＲＳ構成とを備える、Ｃ１に記載の方法。
［Ｃ９］
前記複数のＣＳＩ−ＲＳ構成は、第１のセルのためのＣＳＩ−ＲＳ構成の第１のセットと第２のセルのためのＣＳＩ−ＲＳ構成の第２のセットを備え、ここにおいて、前記ＵＥのための前記少なくとも１つのアクティブなＣＳＩ−ＲＳ構成は、ＣＳＩ−ＲＳ構成の前記第１または第２のセットの何れかを備える、Ｃ１に記載の方法。
［Ｃ１０］
前記複数のＣＳＩ−ＲＳ構成は、ＣＳＩ−ＲＳ構成の少なくとも２つのセットを備え、ＣＳＩ−ＲＳ構成の各セットは、前記ＵＥによって１つまたは複数の通信タスクと関連付けられる、Ｃ１に記載の方法。
［Ｃ１１］
前記第２のシグナリングは、ＣＳＩ−ＲＳ構成の前記少なくとも２つのセットのための少なくとも２ビットを有するビットマップを備え、前記ビットマップの各ビットは、ＣＳＩ−ＲＳ構成の関連付けられたセットが前記ＵＥのためにアクティブであるかを示す、Ｃ１０に記載の方法。
［Ｃ１２］
ＣＳＩ−ＲＳ構成の少なくとも１つのグループは、ＣＳＩ−ＲＳ構成の前記少なくとも２つのセットに基づいて形成され、ＣＳＩ−ＲＳ構成の各グループは、ＣＳＩ−ＲＳ構成の少なくとも１つのセットを含み、ここにおいて、前記第２のシグナリングは、ＣＳＩ−ＲＳ構成の前記少なくとも１つのグループのための少なくとも１ビットを有するビットマップを備え、前記ビットマップの各ビットは、ＣＳＩ−ＲＳ構成の関連付けられたグループが前記ＵＥのためにアクティブであるかを示す、Ｃ１０に記載の方法。
［Ｃ１３］
第２のシグナリングを前記受信することは、ブロードキャストチャネルを介してセルにおけるすべてのＵＥへ送られた、または、マルチキャストチャネルを介して前記ＵＥを含むＵＥのグループへ送られた、前記第２のシグナリングを受信することを備える、Ｃ１に記載の方法。
［Ｃ１４］
少なくとも１つの通信タスクを前記実行することは、前記ＵＥのための前記少なくとも１つのアクティブなＣＳＩ−ＲＳ構成に基づいて、ＣＳＩフィードバックを決定することを備える、Ｃ１に記載の方法。
［Ｃ１５］
少なくとも１つの通信タスクを前記実行することは、前記ＵＥのための前記少なくとも１つのアクティブなＣＳＩ−ＲＳ構成に基づいて少なくとも１つの物理チャネルのためのディレートマッチングを実行することを備える、Ｃ１に記載の方法。
［Ｃ１６］
少なくとも１つの通信タスクを前記実行することは、
前記ＵＥのための前記少なくとも１つのアクティブなＣＳＩ−ＲＳ構成に基づいて第１の物理チャネルのためのディレートマッチングを実行することと、
前記ＵＥのために構成された前記複数のＣＳＩ−ＲＳ構成に基づいて第２の物理チャネルのためのディレートマッチングを実行することと、
を備える、Ｃ１に記載の方法。
［Ｃ１７］
少なくとも１つの通信タスクを前記実行することは、前記ＵＥのための前記少なくとも１つのアクティブなＣＳＩ−ＲＳ構成に基づいて干渉を推定することを備える、Ｃ１に記載の方法。
［Ｃ１８］
少なくとも１つの通信タスクを前記実行することは、前記ＵＥのための前記少なくとも１つのアクティブなＣＳＩ−ＲＳ構成に基づいて前記ＵＥにサービス提供するために選択可能なセルのセットを維持することを備える、Ｃ１に記載の方法。
［Ｃ１９］
前記複数のＣＳＩ−ＲＳ構成のＣＳＩ−ＲＳタイプを決定することをさらに備え、
ここにおいて、少なくとも１つの通信タスクを前記実行することは、第１のＣＳＩ−ＲＳタイプのＣＳＩ−ＲＳ構成を考慮し、第２のＣＳＩ−ＲＳタイプのＣＳＩ−ＲＳ構成を考慮しないことによってディレートマッチングを実行することを備える、
Ｃ１に記載の方法。
［Ｃ２０］
少なくとも１つの近隣セルのための少なくとも１つのＣＳＩ−ＲＳ構成を示すシグナリングを受信することと、
前記少なくとも１つの近隣セルのための前記少なくとも１つのＣＳＩ−ＲＳ構成に基づいて前記少なくとも１つの近隣セルからＣＳＩ−ＲＳのための干渉消去を実行することと、
をさらに備える、Ｃ１に記載の方法。
［Ｃ２１］
ユーザ機器（ＵＥ）のために構成された複数のチャネル状態情報基準信号（ＣＳＩ−ＲＳ）構成を示す第１のシグナリングを受信することと、
前記ＵＥのための少なくとも１つのアクティブなＣＳＩ−ＲＳ構成を示す第２のシグナリングを受信することと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを実行することと、
を行うように構成された少なくとも１つのプロセッサと、
前記少なくとも１つのプロセッサに結合されたメモリと、
を備える、ワイヤレス通信のための装置。
［Ｃ２２］
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記少なくとも１つのプロセッサは、ＣＳＩ−ＲＳ構成の前記第２のサブセットにおける少なくとも１つのアクティブなＣＳＩ−ＲＳ構成を示す前記第２のシグナリングを受信するように構成される、Ｃ２１に記載の装置。
［Ｃ２３］
前記少なくとも１つのプロセッサは、前記ＵＥのための前記少なくとも１つのアクティブなＣＳＩ−ＲＳ構成に基づいて、ＣＳＩフィードバックを決定するように構成される、Ｃ２１に記載の装置。
［Ｃ２４］
前記少なくとも１つのプロセッサは、前記ＵＥのための前記少なくとも１つのアクティブなＣＳＩ−ＲＳ構成に基づいて少なくとも１つの物理チャネルのためのディレートマッチングを実行するように構成される、Ｃ２１に記載の装置。
［Ｃ２５］
ユーザ機器（ＵＥ）のために構成された複数のチャネル状態情報基準信号（ＣＳＩ−ＲＳ）構成を示す第１のシグナリングを受信するための手段と、
前記ＵＥのための少なくとも１つのアクティブなＣＳＩ−ＲＳ構成を示す第２のシグナリングを受信するための手段と、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを実行するための手段と、
を備える、ワイヤレス通信のための装置。
［Ｃ２６］
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを受信するための前記手段は、ＣＳＩ−ＲＳ構成の前記第２のサブセットにおける少なくとも１つのアクティブなＣＳＩ−ＲＳ構成を示す前記第２のシグナリングを受信するための手段を備える、Ｃ２５に記載の装置。
［Ｃ２７］
少なくとも１つの通信タスクを実行するための前記手段は、前記ＵＥのための前記少なくとも１つのアクティブなＣＳＩ−ＲＳ構成に基づいて、ＣＳＩフィードバックを決定するための手段を備える、Ｃ２５に記載の装置。
［Ｃ２８］
少なくとも１つの通信タスクを実行するための前記手段は、前記ＵＥのための前記少なくとも１つのアクティブなＣＳＩ−ＲＳ構成に基づいて少なくとも１つの物理チャネルのためのディレートマッチングを実行するための手段を備える、Ｃ２５に記載の装置。
［Ｃ２９］
ユーザ機器（ＵＥ）のために構成された複数のチャネル状態情報基準信号（ＣＳＩ−ＲＳ）構成を示す第１のシグナリングを少なくとも１つのプロセッサに受信させるためのコードと、
前記ＵＥのための少なくとも１つのアクティブなＣＳＩ−ＲＳ構成を示す第２のシグナリングを前記少なくとも１つのプロセッサに受信させるためのコードと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて前記ＵＥによって少なくとも１つの通信タスクを前記少なくとも１つのプロセッサに実行させるためのコードと、
を備える非一時的なコンピュータ可読媒体
を備える、コンピュータプログラム製品。
［Ｃ３０］
複数のチャネル状態情報基準信号（ＣＳＩ−ＲＳ）構成を有するユーザ機器（ＵＥ）を構成するための第１のシグナリングを送ることと、
前記ＵＥのための少なくとも１つのアクティブなＣＳＩ−ＲＳ構成を示すための第２のシグナリングを送ることと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを実行することと、
を備える、ワイヤレス通信のための方法。
［Ｃ３１］
第１のシグナリングを前記送ることは、前記複数のＣＳＩ−ＲＳ構成を有する前記ＵＥを構成するために上位レイヤシグナリングを送ることを備え、ここにおいて、第２のシグナリングを前記送ることは、前記ＵＥのための前記少なくとも１つのアクティブなＣＳＩ−ＲＳ構成を示すために下位レイヤシグナリングを送ることを備える、Ｃ３０に記載の方法。
［Ｃ３２］
第１のシグナリングを前記送ることは、前記複数のＣＳＩ−ＲＳ構成を有する前記ＵＥを構成するために無線リソース制御（ＲＲＣ）シグナリングを送ることを備え、ここにおいて、第２のシグナリングを前記送ることは、前記ＵＥのための前記少なくとも１つのアクティブなＣＳＩ−ＲＳ構成を示すために媒体アクセス制御（ＭＡＣ）を介して、または物理チャネル上で制御情報を送ることを備える、Ｃ３０に記載の方法。
［Ｃ３３］
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを前記送ることは、ＣＳＩ−ＲＳ構成の前記第２のサブセットにおける少なくとも１つのアクティブなＣＳＩ−ＲＳ構成を示す前記第２のシグナリングを送ることを備える、Ｃ３０に記載の方法。
［Ｃ３４］
前記複数のＣＳＩ−ＲＳ構成は、第１の通信タスクのためにアクティブであり、第２の通信タスクのために非アクティブであるＣＳＩ−ＲＳ構成を備える、Ｃ３０に記載の方法。
［Ｃ３５］
前記複数のＣＳＩ−ＲＳ構成は、第１の通信タスクのためにアクティブにされるまたは非アクティブにされることができ、第２の通信タスクのために常にアクティブであるＣＳＩ−ＲＳ構成を備える、Ｃ３０に記載の方法。
［Ｃ３６］
前記複数のＣＳＩ−ＲＳ構成は、第１の通信タスクのためにアクティブにされるまたは非アクティブにされることができる第１のＣＳＩ−ＲＳ構成と、第２の通信タスクのために常にアクティブな第２のＣＳＩ−ＲＳ構成を備える、Ｃ３０に記載の方法。
［Ｃ３７］
前記複数のＣＳＩ−ＲＳ構成は、第１のセルのためのＣＳＩ−ＲＳ構成の第１のセットと第２のセルのためのＣＳＩ−ＲＳ構成の第２のセットを備え、ここにおいて、前記ＵＥのための前記少なくとも１つのアクティブなＣＳＩ−ＲＳ構成は、ＣＳＩ−ＲＳ構成の前記第１または第２のセットの何れかを備える、Ｃ３０に記載の方法。
［Ｃ３８］
前記複数のＣＳＩ−ＲＳ構成は、ＣＳＩ−ＲＳ構成の少なくとも２つのセットを備え、ＣＳＩ−ＲＳ構成の各セットは、１つまたは複数の通信タスクと関連付けられる、Ｃ３０に記載の方法。
［Ｃ３９］
前記第２のシグナリングは、ＣＳＩ−ＲＳ構成の前記少なくとも２つのセットのための少なくとも２ビットを有するビットマップを備え、前記ビットマップの各ビットは、ＣＳＩ−ＲＳ構成の関連付けられたセットが前記ＵＥのためにアクティブであるかを示す、Ｃ３８に記載の方法。
［Ｃ４０］
ＣＳＩ−ＲＳ構成の少なくとも１つのグループは、ＣＳＩ−ＲＳ構成の前記少なくとも２つのセットに基づいて形成され、ＣＳＩ−ＲＳ構成の各グループは、ＣＳＩ−ＲＳ構成の少なくとも１つのセットを含み、ここにおいて、前記第２のシグナリングは、ＣＳＩ−ＲＳ構成の前記少なくとも１つのグループのための少なくとも１ビットを有するビットマップを備え、前記ビットマップの各ビットは、ＣＳＩ−ＲＳ構成の関連付けられたグループが前記ＵＥのためにアクティブであるかを示す、Ｃ３８に記載の方法。
［Ｃ４１］
第２のシグナリングを前記送ることは、ブロードキャストチャネルを介してセルにおけるすべてのＵＥへ、または、マルチキャストチャネルを介して前記ＵＥを含むＵＥのグループへ、前記第２のシグナリングを送ることを備える、Ｃ３０に記載の方法。
［Ｃ４２］
少なくとも１つの近隣セルのための少なくとも１つのＣＳＩ−ＲＳ構成を示すシグナリングを送ることをさらに備える、Ｃ３０に記載の方法。
［Ｃ４３］
少なくとも１つの通信タスクを前記実行することは、前記ＵＥのための前記少なくとも１つのアクティブなＣＳＩ−ＲＳ構成に基づいて、前記ＵＥによって決定されたＣＳＩフィードバックを受信することを備える、Ｃ３０に記載の方法。
［Ｃ４４］
少なくとも１つの通信タスクを前記実行することは、前記ＵＥのための前記少なくとも１つのアクティブなＣＳＩ−ＲＳ構成に基づいて少なくとも１つの物理チャネルのためのレートマッチングを実行することを備える、Ｃ３０に記載の方法。
［Ｃ４５］
少なくとも１つの通信タスクを前記実行することは、
前記ＵＥのための前記少なくとも１つのアクティブなＣＳＩ−ＲＳ構成に基づいて第１の物理チャネルのためのレートマッチングを実行することと、
前記ＵＥのために構成された前記複数のＣＳＩ−ＲＳ構成に基づいて第２の物理チャネルのためのレートマッチングを実行することと、
を備える、Ｃ３０に記載の方法。
［Ｃ４６］
前記複数のＣＳＩ−ＲＳ構成のＣＳＩ−ＲＳタイプを決定することをさらに備え、
ここにおいて、少なくとも１つの通信タスクを前記実行することは、第１のＣＳＩ−ＲＳタイプのＣＳＩ−ＲＳ構成を考慮し、第２のＣＳＩ−ＲＳタイプのＣＳＩ−ＲＳ構成を考慮しないことによってレートマッチングを実行することを備える、
Ｃ３０に記載の方法。
［Ｃ４７］
複数のチャネル状態情報基準信号（ＣＳＩ−ＲＳ）構成を有するユーザ機器（ＵＥ）を構成するための第１のシグナリングを送ることと、
前記ＵＥのための少なくとも１つのアクティブなＣＳＩ−ＲＳ構成を示すための第２のシグナリングを送ることと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを実行することと、
を行うように構成された少なくとも１つのプロセッサと、
前記少なくとも１つのプロセッサに結合されたメモリと、
を備える、ワイヤレス通信のための装置。
［Ｃ４８］
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記少なくとも１つのプロセッサは、ＣＳＩ−ＲＳ構成の前記第２のサブセットにおける少なくとも１つのアクティブなＣＳＩ−ＲＳ構成を示す前記第２のシグナリングを送るように構成される、Ｃ４７に記載の装置。
［Ｃ４９］
前記少なくとも１つのプロセッサは、前記ＵＥのための前記少なくとも１つのアクティブなＣＳＩ−ＲＳ構成に基づいて、前記ＵＥによって決定されたＣＳＩフィードバックを受信するように構成される、Ｃ４７に記載の装置。
［Ｃ５０］
前記少なくとも１つのプロセッサは、前記ＵＥのための前記少なくとも１つのアクティブなＣＳＩ−ＲＳ構成に基づいて少なくとも１つの物理チャネルのためのレートマッチングを実行するように構成される、Ｃ４７に記載の装置。
［Ｃ５１］
複数のチャネル状態情報基準信号（ＣＳＩ−ＲＳ）構成を有するユーザ機器（ＵＥ）を構成するための第１のシグナリングを送るための手段と、
前記ＵＥのための少なくとも１つのアクティブなＣＳＩ−ＲＳ構成を示すための第２のシグナリングを送るための手段と、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを実行するための手段と、
を備える、ワイヤレス通信のための装置。
［Ｃ５２］
前記複数のＣＳＩ−ＲＳ構成は、前記ＵＥのために常にアクティブなＣＳＩ−ＲＳ構成の第１のサブセットと前記ＵＥのためにアクティブにされるまたは非アクティブにされることができるＣＳＩ−ＲＳ構成の第２のサブセットとを備え、ここにおいて、前記第２のシグナリングを送るための前記手段は、ＣＳＩ−ＲＳ構成の前記第２のサブセットにおける少なくとも１つのアクティブなＣＳＩ−ＲＳ構成を示す前記第２のシグナリングを送るための手段を備える、Ｃ５１に記載の装置。
［Ｃ５３］
少なくとも１つの通信タスクを実行するための前記手段は、前記ＵＥのための前記少なくとも１つのアクティブなＣＳＩ−ＲＳ構成に基づいて、前記ＵＥによって決定されたＣＳＩフィードバックを受信するための手段を備える、Ｃ５１に記載の装置。
［Ｃ５４］
少なくとも１つの通信タスクを実行するための前記手段は、前記ＵＥのための前記少なくとも１つのアクティブなＣＳＩ−ＲＳ構成に基づいて少なくとも１つの物理チャネルのためのレートマッチングを実行するための手段を備える、Ｃ５１に記載の装置。
［Ｃ５５］
複数のチャネル状態情報基準信号（ＣＳＩ−ＲＳ）構成を有するユーザ機器（ＵＥ）を構成するための第１のシグナリングを少なくとも１つのプロセッサに送らせるためのコードと、
前記ＵＥのための少なくとも１つのアクティブなＣＳＩ−ＲＳ構成を示すための第２のシグナリングを前記少なくとも１つのプロセッサに送らせるためのコードと、前記少なくとも１つのアクティブなＣＳＩ−ＲＳ構成は、前記複数のＣＳＩ−ＲＳ構成のすべてまたはサブセットを含む、
前記ＵＥのための前記少なくとも１つのアクティブなＣＳＩ−ＲＳ構成に基づいて少なくとも１つの通信タスクを前記少なくとも１つのプロセッサに実行させるためのコードと、
を備える非一時的なコンピュータ可読媒体
を備える、コンピュータプログラム製品。